(57)【特許請求の範囲】
【請求項１】
負荷に電流を供給する電流源回路であって、
第１の電源電圧を供給する第１の電源配線と、
前記負荷の動作モードに応じて設定される制御信号を発生する制御信号発生手段と、
前記制御信号を伝達する制御信号配線と、
前記第１の電源配線と前記負荷との間に設けられ、前記制御信号に応じて前記負荷に供給する電流量を制御する負荷電流供給トランジスタとを備え、
前記制御信号発生手段は、
前記第１の電源配線から前記第１の電源電圧を受けて、前記負荷の動作モードに応じた設定電流量に相当する補助制御信号に電圧変換する電圧変換手段と、
前記負荷の動作モードの切換わりに応じてタイミング信号を発生するタイミング制御手段と、
前記補助制御信号と前記タイミング信号とを受け、前記負荷の動作モードに応じて異なる振幅を有するパルス波状または三角波状の制御信号を発生する信号発生回路とを含む電流源回路。
【請求項２】
前記第１の電源電圧よりも低い第２の電源電圧を供給する第２の電源配線をさらに備え、
前記制御信号発生手段は、
前記制御信号が生成される内部ノードと、
前記負荷の動作モードの変化に対応してタイミング信号を発生するタイミング制御手段と、
前記内部ノードに接続された制御ノードと、前記第１の電源配線と前記内部ノードとの間に形成され前記制御ノードによって電流量が制御される電流経路とを含む制御トランジスタと、
前記内部ノードと前記第２の電源配線との間に並列に接続される、第１の抵抗器および抵抗調整手段とを含み、
前記抵抗調整手段は、
前記第２の電源配線に接続される第２の抵抗器と、
前記内部ノードと前記第２の抵抗器との間に接続され、前記タイミング信号に応じてオンあるいはオフするスイッチ手段とを有する請求項１記載の電流源回路。
【請求項３】
基準電圧に応じた電圧を発生する電圧発生回路であって、
第１の電圧を供給する第１の電源配線と、
前記第１の電圧よりも低い第２の電圧を供給する第２の電源配線と、
負荷に接続される出力ノードと、
前記基準電圧と前記出力ノードの電圧との誤差を発生する誤差増幅手段と、
前記誤差増幅手段の出力に応じて前記出力ノードと前記第２の電源配線とを接続する放電手段と、
前記基準電圧に応じて設定される制御信号を発生する制御信号発生手段と、
前記第１の電源配線と前記誤差増幅手段との間に設けられ、前記制御信号に応じて前記誤差増幅手段に供給する電流量を制御する第１の電流供給トランジスタと、
前記第１の電源配線と前記出力ノードとの間に設けられ、前記制御信号に応じて前記負荷に供給する電流量を制御する第２の電流供給トランジスタと、
前記第１および第２の電流供給トランジスタに前記制御信号を伝達する制御信号配線とを備え、
前記制御信号発生手段は、
前記制御信号が生成される内部ノードと、
前記内部ノードに接続された制御ノードと、前記制御ノードによって電流量が制御され前記第１の電源配線と前記内部ノードとの間に形成される電流経路とを含む制御トランジスタと、
前記基準電圧の変化に応じてタイミング信号を発生するタイミング制御手段と、
前記内部ノードと前記第２の電源配線との間に並列に接続される、第１の抵抗器および抵抗調整手段とを含み、
前記抵抗調整手段は、
前記第２の電源配線に接続される第２の抵抗器と、
前記内部ノードと前記第２の抵抗器との間に接続され、前記タイミング信号に応じてオンあるいはオフするスイッチ手段とを有する電圧発生回路。
【発明の詳細な説明】
【０００１】
【発明の属する技術分野】
この発明は、トランジスタを用いて構成され、負荷に必要な電流を供給する電流源回路に関するものである。
【０００２】
【従来の技術】
負荷に対して必要な電流を供給するためのいわゆる電流源回路として、トランジスタの特性を利用した回路が一般に用いられている。
【０００３】
図７は、ゲートに一定の電圧を受けるトランジスタによって構成された従来の技術の電流源回路１００の回路構成を示す図である。
【０００４】
図７を参照して、電流源回路１００は、制御電圧Ｖｇが生成される内部ノードＮと、電源電圧Ｖｃｃを供給する配線３１と、接地電圧Ｖｓｓを供給する配線３２と、内部ノードＮに接続されたゲートと配線３１に接続されたソースとを有し負荷電流ＩＬを供給するｐチャネルトランジスタＱ１とを備える。
【０００５】
電流源回路１００は、さらに、配線３１に接続されたソースと内部ノードＮに接続されたゲートおよびドレインとを有するｐチャネルトランジスタＱｂと、内部ノードＮと配線３２との間に直列に接続されたｎチャネルトランジスタＤ１〜Ｄｎとを備える。ｎチャネルトランジスタＤ１〜Ｄｎの各々のゲート端子とソース端子とは短絡されている。
【０００６】
電流源回路１００においては、内部ノードＮに発生する制御電圧Ｖｇが負荷に対して電流ＩＬを供給するトランジスタＱ１のゲートに印加されるため、負荷電流ＩＬは制御電圧Ｖｇによって制御される。
【０００７】
図７においては、このような制御電圧Ｖｇを発生させる回路として、「ＭＯＳ集積回路の基礎」（原央編著，近代科学社）Ｐ７４に記載される電源電圧変換回路の中に用いられる基準電圧発生回路を示した。
【０００８】
この基準電圧発生回路によれば、制御電圧Ｖｇは、配線３１と配線３２との間に直列に接続されたトランジスタ列Ｑｂ，Ｄ１〜Ｄｎによって決定される。
【０００９】
トランジスタＱｂ，Ｄ１〜Ｄｎの各々は、ドレイン端子とゲート端子とが短絡されており、配線３１から配線３２へ向かう方向を順方向とするダイオードとして機能している。
【００１０】
これにより、配線３１〜トランジスタＱｂ〜トランジスタＤ１〜Ｄｎ〜配線３２の経路には常に電流Ｉｂが流れ、制御電圧Ｖｇは、トランジスタＤ１〜Ｄｎの特性によって決定される。例えば、トランジスタＤ１〜Ｄｎの電流駆動能力が等しい場合には、トランジスタＤ１〜Ｄｎのしきい値をＶｔｎとすると、Ｖｇ＝ｎ×Ｖｔｎであたえられる一定値となる。すなわち、負荷電流を決定する制御電圧Ｖｇは、内部ノードＮと配線３２との間に接続されるトランジスタのしきい値の総和に相当し、トランジスタＤ１〜Ｄｎの電流駆動能力が同じ場合には、個数ｎで一意に決定される。したがって、トランジスタ列の個数を調整することによって、負荷電流ＩＬは制御される。
【００１１】
【発明が解決しようとする課題】
しかしながら、従来の技術の電流源回路１００においては、トランジスタ列Ｑｂ，Ｄ１〜Ｄｎに常に一定の電流Ｉｂが流れており、制御電圧Ｖｇも一定値である。
【００１２】
負荷電流ＩＬが供給される負荷のタイプによっては、負荷の動作モードに応じて必要な電流にオフピークが存在する場合があるが、このような場合には、図７に示した制御電圧Ｖ発生回路による電流源回路１００では、有効な制御が行なえず、かつ上記の電流Ｉｂについても無駄な電力消費が生じてしまう。
【００１３】
また、従来の電流源回路１００においては、制御電圧Ｖｇの値は、直列接続するトランジスタ列Ｄ１〜Ｄｎのしきい値の倍数でしか設定することができず、詳細な最適設定が困難であるという問題点があった。
【００１４】
この発明は、以上のような問題点を解決するためになされたもので、この発明の主な目的は、負荷の動作に合わせて動的に負荷電流を制御することができ、かつ無駄な電力消費を低減することができる電流源回路の構成を提供するものである。
【００１５】
【課題を解決するための手段】
請求項１記載の電流源回路は、負荷に電流を供給する電流源回路であって、第１の電源電圧を供給する第１の電源配線と、外部から負荷の動作モードに応じて設定される制御信号を伝達する制御信号配線と、第１の電源配線と負荷との間に設けられ、制御信号に応じて負荷に供給する電流量を制御する負荷電流供給トランジスタとを備える。
【００１６】
請求項２記載の電流源回路は、負荷に電流を供給する電流源回路であって、第１の電源電圧を供給する第１の電源配線と、負荷の動作モードに応じて設定される制御信号を発生する制御信号発生手段と、制御電圧信号を伝達する制御信号配線と、第１の電源配線と負荷との間に設けられ、制御信号に応じて負荷に供給する電流量を制御する負荷電流供給トランジスタとを備える。
【００１７】
請求項３記載の電流源回路は、請求項１ないし２記載の電流源回路であって、負荷電流供給トランジスタは、制御信号配線に接続された制御ノードと、第１の電源配線と負荷との間に形成され制御ノードによって電流量が制御される導通経路とを有する。
【００１８】
請求項４記載の電流源回路は、請求項２記載の電流源回路であって、制御信号発生手段は、第１の電源配線から第１の電源電圧を受けて、負荷の動作モードに応じた設定電流量に相当する補助制御信号に変換する電圧変換手段と、負荷の動作モードの変化に応じてタイミング信号を発生するタイミング制御手段と、補助制御信号とタイミング信号とを受けて制御信号を発生する信号発生回路とを含む。
【００１９】
請求項５記載の電流源回路は、請求項２記載の電流源回路であって、第１の電源電圧よりも低い第２の電源電圧を供給する第２の電源配線をさらに備え、制御信号発生手段は、制御信号が生成される内部ノードと、負荷の動作モードの変化に対応してタイミング信号を発生するタイミング制御手段と、内部ノードに接続された制御ノードと、第１の電源配線と内部ノードとの間に形成され制御ノードによって電流量が制御される電流経路とを含む制御トランジスタと、内部ノードと第２の電源配線との間に並列に接続される、第１の抵抗器および抵抗調整手段とを含み、抵抗調整手段は、第２の電源配線に接続される第２の抵抗器と、内部ノードと第２の抵抗器との間に接続され、タイミング信号に応じてオンあるいはオフするスイッチ手段とを有する。
【００２０】
請求項６記載の電圧発生回路は、基準電圧に応じた電圧を発生する電圧発生回路であって、第１の電圧を供給する第１の電源配線と、第１の電圧よりも低い第２の電圧を供給する第２の電源配線と、負荷に接続される出力ノードと、基準電圧と出力ノードの電圧との誤差を発生する誤差増幅手段と、誤差増幅手段の出力に応じて出力ノードと第２の電源配線とを接続する放電手段と、基準電圧に応じて設定される制御信号を発生する制御信号発生手段と、第１の電源配線と誤差増幅手段との間に設けられ、制御信号に応じて誤差増幅手段に供給する電流量を制御する第１の電流供給トランジスタと、第１の電源配線と出力ノードとの間に設けられ、制御信号に応じて負荷に供給する電流量を制御する第２の電流供給トランジスタと、第１および第２の電流供給トランジスタに制御信号を伝達する制御信号配線とを備え、制御信号発生手段は、制御信号が生成される内部ノードと、内部ノードに接続された制御ノードと、制御ノードによって電流量が制御され第１の電源配線と内部ノードとの間に形成される電流経路とを含む制御トランジスタと、基準電圧の変化に応じてタイミング信号を発生するタイミング制御手段と、内部ノードと第２の電源配線との間に並列に接続される、第１の抵抗器および抵抗調整手段とを含み、抵抗調整手段は、第２の電源配線と接続される第２の抵抗器と、内部ノードと第２の抵抗器との間に接続されタイミング信号に応じてオンあるいはオフするスイッチ手段とを有する。
【００２１】
【発明の実施の形態】
以下において、本発明の実施の形態について図面を参照して詳しく説明する。なお、図中同一符号は同一または相当部分を示す。
【００２２】
［実施の形態１］
図１は、本発明の実施の形態１の電流源回路１の構成を示す概略図である。
【００２３】
図１を参照して、電流源回路１は、電源電圧Ｖｃｃを伝達する配線３１と、並列接続されたｐチャネルトランジスタＱ１〜Ｑｎと、制御電圧信号Ｖｇｓを発生する制御電圧信号発生回路１０と、制御電圧信号Ｖｇｓを伝達する配線３３とを備える。
【００２４】
並列接続されたトランジスタＱ１〜Ｑｎのゲート端子には、配線３３を介して制御電圧信号Ｖｇｓが共通に伝達される。トランジスタＱ１〜Ｑｎは、制御電圧信号Ｖｇｓに応じて負荷電流Ｉ１〜Ｉｎを負荷に供給する。すなわち、この構成においては、所望の制御電圧信号Ｖｇｓを与えることによって、電流源回路の出力電流値が制御される。
【００２５】
図２は、制御電圧信号発生回路１０の具体的な構成の一例を示すブロック図である。
【００２６】
図２を参照して、制御電圧信号発生回路１０は、電源電圧Ｖｃｃを受けて電圧Ｖｐに変換する電圧変換回路１１と、負荷の動作モード等の情報を受けて負荷における所要電流量の変化に応じたタイミング信号Ｓｔを生成するタイミング制御回路１２と、電圧Ｖｐとタイミング信号Ｓｔとを受けて制御電圧信号Ｖｇｓを発生するＶｇｓ発生回路１３とを備える。
【００２７】
この構成においては、電流源回路の負荷において必要とされる電流量に応じて制御電圧信号を設定することが特徴である。すなわち、電流源回路の負荷が電流を常時必要としない場合には、電流が必要な期間（モード）にのみ負荷電流Ｉ１〜Ｉｎを十分に供給する制御電圧信号Ｖｇｓを与えることにより、制御電圧信号Ｖｇｓを一定値に設定する従来の技術の構成の電流源回路に比べて電力損失を低減することができる。
【００２８】
また、電流源回路の負荷が必要とする電流量が、たとえば負荷の動作モード等により時間的に変化する場合には、各タイミングにおいて必要な負荷電流Ｉ１〜Ｉｎが流れるように制御電圧信号Ｖｇｓを設定することにより、制御電圧信号が一定である従来の技術の構成の電流源回路に比べて無駄な消費電力を抑えることができる。
【００２９】
図３は、制御電圧信号Ｖｇｓの概形を示す波形図である。
図３を参照して、負荷の動作モード等の情報を図２の電圧変換回路１１およびタイミング制御回路１２に与え、これに応じた電圧変換（Ｖｃｃ→Ｖｐ）およびタイミング信号の生成を行なうことにより、負荷における電流の必要量を考慮した制御電圧信号Ｖｇｓの設定を行なうことができる。すなわち、制御電圧信号Ｖｇｓは、たとえば、電流源回路の負荷の動作モードの切換わりに対応してパルス状あるいは三角波状の制御電圧信号を生成させ、さらにその振幅を調整することにより、一定期間のみ負荷電流を増大させて負荷の動作に対応させることが可能となる。
【００３０】
なお、実施の形態１においては制御電圧信号発生回路１０を、電流源回路１の構成要素として示したが、負荷の動作に合わせて作製する制御回路として外部から制御電圧信号を与えることも可能である。また、実施の形態１においては、並列に接続されたトランジスタＱ１〜Ｑｎはｐチャネルトランジスタで構成したが、これに代えてｎチャネルトランジスタで構成することも同様な考え方の下で可能である。
【００３１】
さらに、制御電圧信号発生回路１０を各トランジスタに共通の回路として示したが、この回路を複数個設けることによって負荷電流Ｉ１〜Ｉｎをさらに詳細に制御することももちろん可能である。
【００３２】
［実施の形態２］
実施の形態２においては、電流源回路に含まれる制御電圧信号発生回路のさらに別の具体的な構成例について示す。
【００３３】
図４は、本発明の実施の形態２の電流源回路２の構成を示す回路図である。
電流源回路２は、電流源回路１と比較して、制御電圧信号発生回路１０の構成が異なる。その他の構成および動作については実施の形態１の電流源回路１と同様であるので説明は繰返さない。
【００３４】
図４を参照して、制御電圧信号発生回路１０は、制御電圧信号を発生する内部ノードＮと、電源電圧Ｖｃｃを供給する配線３１と内部ノードＮとの間に接続され、ドレイン端子とゲート端子を短絡されたｐチャネルトランジスタＱｂと、接地電圧Ｖｓｓを供給する配線３２と内部ノードＮとの間に接続されるインピーダンス回路１４とを含む。
【００３５】
インピーダンス回路１４は、並列に接続された抵抗Ｒｂ，Ｒ１〜Ｒｎとを有する。抵抗Ｒ１〜Ｒｎと内部ノードＮとの間にはそれぞれスイッチＳＷ１〜ＳＷｎが設けられている。スイッチＳＷ１〜ＳＷｎは、制御回路１５おいて、たとえば負荷の動作モード等を検出して設定される制御信号（デジタル信号）によってオン／オフされる。
【００３６】
これにより、インピーダンス回路１４のインピーダンス値は、デジタルの制御信号によって可変とすることができる。ここで、インピーダンス回路１４のインピーダンス値をＺｂとすると、すべてのスイッチをオフにした場合にはＺｂ＝Ｒｂとなり、スイッチをｍ個（ｍ≦ｎ）オンさせると、インピーダンス値Ｚｂは、抵抗Ｒ１〜Ｒｍを並列接続した抵抗値となる。このように、スイッチのオン／オフの制御によってインピーダンス値Ｚｂを可変とできる。
【００３７】
内部ノードＮに発生する電圧Ｖｎは、Ｖｎ＝Ｚｂ×Ｉｂ＋Ｖｓｓで表わされる。また、トランジスタＱｂはダイオードとして動作しているので、トランジスタＱｂの動作点におけるＱｂを流れる電流Ｉｂは、電圧Ｖｎに依存することとなる。これらより、制御電圧信号Ｖｇｓの振幅に相当する内部ノードＮの電圧Ｖｎは、インピーダンス回路１４のインピーダンス値Ｚｂの値によって変化させることが可能となる。
【００３８】
実施の形態２においては、制御電圧信号をデジタル信号に基づいて変化させることができるため、制御回路の設計をより容易に行うことができる。
【００３９】
［実施の形態２の応用例］
次に応用例の１つとして、実施の形態２で述べた電流源回路を用いて構成される電圧発生回路について述べる。図５は、本発明の実施の形態２の応用例の１つとして示される電圧発生回路３の全体構成を示す回路図である。図５を参照して、電圧発生回路３は、カレントミラーアンプ３０によって入力電圧Ｖｉｎに応答する出力電圧Ｖｏｕｔを負荷容量Ｃに得るための回路である。
【００４０】
電圧発生回路３は、カレントミラーアンプ３０を構成するｐチャネルトランジスタＱ１１，Ｑ１２およびｎチャネルトランジスタＱ２１，Ｑ２２と、負荷容量Ｃと、カレントミラーアンプ３０の出力に応じて負荷容量Ｃを放電するための放電トランジスタＱ２３とを備える。
【００４１】
電圧発生回路３は、さらに、カレントミラーアンプ３０および負荷容量Ｃに電流を供給するための電流源回路２′を備える。
【００４２】
電流源回路２′は、カレントミラーアンプ３０に負荷電流を供給するためのトランジスタＱ１と、負荷容量Ｃに電流を供給するためのトランジスタＱ２とを含む。電流源回路２′は、さらに、制御電圧信号Ｖｇｓを発生する制御電圧信号発生回路１０を含む。トランジスタＱ１，Ｑ２は、制御電圧信号Ｖｇｓをゲートに受けて負荷電流を制御する。
【００４３】
制御電圧信号発生回路１０は、実施の形態２で述べたインピーダンス回路を含む構成となっており、制御電圧信号Ｖｇｓを発生する内部ノードＮと、電源電圧Ｖｃｃを供給する配線３１と内部ノードＮとの間に接続されたトランジスタＱｂと、内部ノードＮと接地電圧を供給する配線３２との間に接続されるインピーダンス回路を構成する抵抗Ｒｂ，ＲｃおよびトランジスタＱｃとを有する。
【００４４】
トランジスタＱｃは、抵抗Ｒｃと内部ノードＮとの間に接続され、ゲートに制御パルス信号を受ける。制御回路１５は、入力電圧信号Ｖｉｎを受けてＶｉｎの変化に応じた制御パルス信号を生成する。
【００４５】
ここで、入力電圧信号Ｖｉｎとして振幅０〜４Ｖの矩形波を入力し、負荷容量Ｃは５０ｐＦとする。
【００４６】
電圧発生回路３においては、入力電圧信号Ｖｉｎの立上がり時に負荷容量Ｃを充電するための電流を必要とし、逆の放電時にはあまり電流を必要としないことから、制御回路１５は、入力電圧信号Ｖｉｎの立上がりを検出して一定期間（１０μＳ）の間トランジスタＱｃをオフし、その他の期間はトランジスタＱｃをオンするパルス信号を制御パルス信号として発生する。
【００４７】
トランジスタＱ１，Ｑ２は、ｐチャネルトランジスタであるため、Ｖｇｓが小さいほどすなわちインピーダンス値Ｚｂが大きいほど、負荷電流は大きくなる。
【００４８】
そこで、負荷に充電電流の供給が必要な期間においては、トランジスタＱｃをオフとして、インピーダンス値Ｚｂ＝Ｒｂと大きく設定し、反対に、負荷にあまり電流を供給する必要がない期間においては、トランジスタＱｃをオンとして、インピーダンス値Ｚｂ＝Ｒｂ・Ｒｃ／（Ｒｂ＋Ｒｃ）と小さく設定する。
【００４９】
この様に、タイミング信号に応じて制御電圧信号Ｖｇｓを負荷容量Ｃの充電時においては小さい値とし、その他の期間においては大きい値となるパルス状の信号とすることにより、負荷の動作モードに対応した負荷電流を供給することができる。
【００５０】
このような回路構成および制御電圧信号Ｖｇｓ発生回路を採用する電圧発生回路３における出力電圧Ｖｏｕｔの応答および全消費電流を、制御電圧信号発生回路１０に図６で示した従来の技術のものを適用した電圧発生回路における場合と比較する。
【００５１】
図６は、電圧発生回路における出力電圧Ｖｏｕｔの応答と全消費電流とを示すものであり、図６（ａ）は、電圧発生回路３のうち制御電圧信号発生回路の構成に従来の技術（図７）を用いた場合の結果であり、図６（ｂ）は図５に示した電圧発生回路３の回路構成によって得られた結果である。
【００５２】
図６（ａ），（ｂ）を比較して、電圧発生回路３においては、制御電圧信号を負荷の状態によって切換えることにより電流が必要な期間における負荷電流を十分確保することができ、出力電圧Ｖｏｕｔの応答には大きな違いが見られないことがわかる。一方、全消費電流については制御電圧信号Ｖｇｓを高く設定した期間において確実に低減できており、この結果同様の制御応答がより少ない消費電力によって得られていることがわかる。この応用例においては平均電流については１１０μＡから７４μＡに、約３割削減されている。
【００５３】
なお、実施の形態２の応用例の電圧発生回路３においては、トランジスタＱ１〜Ｑｎをｐチャネルトランジスタで構成したが、ｎチャネルトランジスタで構成する場合においても同様な考え方に基づいて供給電流の設定を動的に変化させ、同様の効果を得ることはもちろん可能である。
【００５４】
また、実施の形態１および２においては、トランジスタとしてＭＯＳトランジスタを用いる構成を示したが、同様の概念の下で、バイポーラトランジスタを用いた回路構成とすることも可能である。
【００５５】
なお、今回開示された実施の形態は全ての点で例示であって、制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
請求項１，２，３，４記載の電流源回路は、負荷の動作モードに対応させた制御電圧信号によって供給電流を設定することができるので、無駄な電力損失を抑制した上で、負荷に必要な電流を供給することができる。
【００５７】
請求項５記載の電流源回路は、制御電圧信号をディジタル信号によって変化させることができるので、請求項２記載の電流源回路が奏する効果に加えて、制御回路の設計を容易に行なうことができる。
【００５８】
請求項６記載の電圧発生回路は、入力基準電圧の変化に応じて供給電流を設定することができる電流源回路を含んでいるため、出力電圧の応答性を維持しつつ、低消費電力化を図ることができる。
【図面の簡単な説明】
【図１】  本発明の実施の形態１の電流源回路１の構成を示す概略図である。
【図２】  制御電圧信号発生回路１０の構成を示すブロック図である。
【図３】  制御電圧信号Ｖｇｓの概形を示す波形図である。
【図４】  本発明の実施の形態２の電流源回路２の全体構成を示す回路図である。
【図５】  本発明の実施の形態２の応用例である電圧発生回路３の全体構成を示す回路図である。
【図６】  電圧発生回路３の出力電圧応答と全消費電流とを比較するための図であり、図６（ａ）は、実施の形態２に示した制御電圧信号発生回路の構成を適用した場合の結果であり、図６（ｂ）は、従来の技術の制御電圧信号発生回路を適用した場合の結果である。
【図７】  従来の技術の電流源回路１００の構成を示す回路図である。
【符号の説明】
１０  制御電圧信号発生回路、１１  電圧変換回路、１２  タイミング制御回路、１３  Ｖｇｓ発生回路、１４  インピーダンス回路、３０  カレントミラーアンプ、３１，３２，３３  配線。
【図１】
0003859883.tif 000002
【図２】
0003859883.tif 000003
【図３】
0003859883.tif 000004
【図４】
0003859883.tif 000005
【図５】
0003859883.tif 000006
【図６】
0003859883.tif 000007
【図７】
0003859883.tif 000008